(57)【要約】【課題】簡単に給水孔に固定することができ、人が手を離しても固定した状態が保たれ洗浄中の手動操作が不要な風呂釜洗浄補助具を提供することを目的とする。【解決手段】風呂釜の給水孔に取り付けるための吸盤および洗浄剤を収容するための収容部から構成される風呂釜洗浄補助具であって、上記吸盤が、給水孔の周囲に吸着される、中央が開口となった環状吸盤であり、上記収容部は上記吸盤の背面に設けられ、給排水用の弁が設けられている。【選択図】  図１
2009085515.tif 000002
【特許請求の範囲】
【請求項１】
風呂釜の給水孔に取り付けるための吸盤および洗浄剤を収容するための収容部から構成される風呂釜洗浄補助具であって、
上記吸盤が、給水孔の周囲に吸着される、中央が開口となった環状吸盤であり、上記収容部は上記吸盤の背面に設けられ、給排水用の弁が設けられていることを特徴とする風呂釜洗浄補助具。
【請求項２】
上記収容部は、上記吸盤の背面と一体に形成された外筒と、上記外筒の内側に取り外し可能に嵌め込まれている内筒から構成され、
上記外筒には、上記弁が形成された底が設けられ、
上記内筒の内側には、略半円の仕切り壁が設けられており、
上記仕切り壁、上記内筒、および上記底に囲まれたスペースに、上記洗浄剤が収容されていることを特徴とする請求項１に記載の風呂釜洗浄補助具。
【発明の詳細な説明】
【技術分野】
【０００１】
本発明は、お風呂の釜の内部を洗浄するための風呂釜洗浄補助具に関する。
【背景技術】
【０００２】
循環式風呂釜の内部を洗浄する方法としては、特開２００１−２５３４５７号公報に開示されているような、蛇腹形胴部と、端部を閉鎖する底面、および開口端部から構成される容器本体に洗浄用薬剤を入れて、給水孔に上記開口端部を押し付け、数回ポンピングすることにより、上記開口端部に設けられた吐出口から薬剤が吐出さら、給水孔を介して風呂釜内部に薬剤を注入するものが用いられている。
【０００３】
その他にも、特開２００６−１６０４３号公報に開示されているような、吐出口を備える容器に洗浄用薬剤を入れ、容器を押圧し変形させることにより、給水孔に押し付けた吐出口から薬剤を注入するものがある。
【特許文献１】特開２００１−２５３４５７号公報
【特許文献２】特開２００６−１６０４３号公報
【発明の開示】
【発明が解決しようとする課題】
【０００４】
しかし、上述のような従来の洗浄用容器を用いる方法では、洗浄用薬剤を注入する間、容器を給水孔に押し付けて密閉させる必要があった。そのため、洗浄用薬剤の注入が終了するまで、誰かがそこにいて、容器を押し付けながら、ポンピング、あるいは容器を押圧する作業が伴い、長時間の洗浄が困難であるという問題があった。
【０００５】
また、容器と洗浄剤は一体で販売されているので、容器は使い捨てで、繰り返し使用できるものではなく、利用者はその都度新しいものを買う必要があった。
【０００６】
そこで、本発明は上記問題を解決するために、簡単に給水孔に固定することができ、洗浄中の手動操作が不要で、洗浄剤を追加することにより繰り返し使用することができる風呂釜洗浄補助具を提供することを目的とする。
【課題を解決するための手段】
【０００７】
本発明の風呂釜洗浄補助具は、風呂釜の給水孔に取り付けるための吸盤および洗浄剤を収容するための収容部から構成される風呂釜洗浄補助具であって、上記吸盤が、給水孔の周囲に吸着される、中央が開口となった環状吸盤であり、上記収容部は上記吸盤の背面に設けられ、給排水用の弁が設けられていることを特徴とする。
【０００８】
また、上記収容部は、上記吸盤の背面と一体に形成された外筒と、上記外筒の内側に取り外し可能に嵌め込まれている内筒から構成され、上記外筒には、上記弁が形成された底が設けられ、上記内筒の内側には、略半円の仕切り壁が設けられており、上記仕切り壁、上記内筒、および上記底に囲まれたスペースに、上記洗浄剤が収容されていることが好ましい。
【発明の効果】
【０００９】
本発明の風呂釜洗浄補助具は、風呂釜の給水孔に取り付けるための吸盤および洗浄剤を収容するための収容部から構成される風呂釜洗浄補助具であって、上記吸盤が、給水孔の周囲に吸着される、中央が開口となった環状吸盤であり、上記収容部は上記吸盤の背面に設けられ、給排水用の弁が設けられていることにより、上記環状吸盤によって簡単に給水孔に固定することができ、洗浄剤の注入が終了するまで、手で押さえる必要が無くなり、長時間の洗浄が可能となる。
【００１０】
また、上記収容部は、上記吸盤の背面と一体に形成された外筒と、上記外筒の内側に取り外し可能に嵌め込まれている内筒から構成され、上記外筒には、上記弁が形成された底が設けられ、上記内筒の内側には、略半円の仕切り壁が設けられており、上記仕切り壁、上記内筒、および上記底に囲まれたスペースに、上記洗浄剤が収容されていることにより、上記内筒を取り外すことにより、内部の掃除が簡単にでき、洗浄剤を補充することによって、繰り返し使用することができる。
【発明を実施するための最良の形態】
【００１１】
本発明を、図を用いて以下に詳細に説明する。図１が本発明の風呂釜洗浄補助具１の外側から見た斜視図であり、図２が内側から見た斜視図である。図３が風呂釜洗浄補助具１の断面図である。
【００１２】
図１に示すように、本発明の風呂釜洗浄補助具１は風呂釜の給水孔１１に取り付けるための吸盤２および洗浄剤を収容するための収容部３から構成される。そして、上記吸盤２は、上記給水孔１１の周囲に吸着される、中央が開口となった環状吸盤であり、上記収容部３は上記吸盤２の背面に設けられ、給排水用の弁４が設けられている。
【００１３】
上記収容部３は、上記吸盤２の背面と一体に形成された外筒５と、上記外筒５の内側に取り外し可能に嵌め込まれている内筒６から構成されている。
【００１４】
また、上記外筒５には、上記弁４が形成された底８を設け、上記内筒６の内側には、略半円の仕切り壁７を設ける。本実施形態では、上記弁４として上記底８に十字の切込みを設けているが、特にこの形態に限定するものではなく、他の弁の形状も可能である。
【００１５】
上記収容部３の内部に、洗浄剤１０を収容するが、そのためのスペースは、上記仕切り壁７、上記内筒６、および上記底８に囲まれたポケット状のスペースとなっている。
【００１６】
上記スペースに収容する上記洗浄剤１０としては、特に限定するものではないが、例えば、粉末状あるいは顆粒状の一般的に使用されている洗浄剤等が用いられる。
【００１７】
上記内筒６は、上記収容部３の内部に取り外し可能に嵌め込まれているが、上記内筒６は、上記吸盤２の中央に設けられた開口部から取り外すことが可能となっており、上記外筒５の内側にぴったりとフィットするようになっており、上記吸盤２の背面と上記底８によって挟まれて上記収容部３内に嵌め込まれている。
【００１８】
そして、上記風呂釜洗浄補助具１の上記吸盤２には、取っ手９が設けてある。上記取っ手９は、上記風呂釜洗浄補助具１を、上記吸盤２を給水孔１１に吸着させて風呂釜を洗浄した後に取り外すときに、上記吸盤２を剥がすために用いる。上記取っ手９を引っ張ることにより、簡単に上記風呂釜洗浄補助具１を取り外すことができる。
【００１９】
次に、本発明の風呂釜洗浄補助具１の使用方法について説明する。上記風呂釜洗浄補助具１を浴槽内に湯が残っている状態で、風呂釜の給水孔１１に取り付ける。この時、上記風呂釜補助具１の吸盤２が上記給水孔１１を取り囲むように、上記吸盤２を上記給水孔１１の周囲に吸着させてセットする。この状態が図５の断面図である。
【００２０】
この時、風呂釜が１つ孔あるいは２つ孔を問わずに、上述のように、上記風呂釜洗浄補助具１を上記給水孔１１にセットする。そして、低温で湯を沸かし、湯を循環させる。
【００２１】
そうすると、上記収容部３内部の上記洗浄剤１０が、上記給水孔１１から風呂釜へと流入し、風呂釜内部を洗浄する。この時、上記一つ孔の場合、風呂釜内が高圧になると、上記弁４が開き、湯が浴槽内に流出する。また、二つ孔の場合には、湯が循環するときに、上記弁４が開いて、湯が循環可能となる。洗浄中は、上記吸盤２により上記風呂釜洗浄補助具１は固定されているので、手で押さえたり、押圧する等の手動操作は不要となる。
【００２２】
このように、本発明の風呂釜洗浄補助具１は、環状の吸盤を設けることにより、給水孔１１に密閉した状態で固定することが可能となり、さらに、上記弁４を設けることにより、上記風呂釜洗浄補助具１を上記給水孔１１固定しておいた状態でも、湯が風呂釜内を循環することが可能となるので、手動で操作する必要が無くなり、より簡単に長時間風呂釜の洗浄を行うことが可能となる。
【００２３】
また、上記内筒６が取り外し可能であるので、風呂釜の洗浄終了後、上記風呂釜洗浄補助具１から、上記内筒６を取り外し、水洗いした後、再度上記内筒６を上記風呂釜洗浄補助具１にセットし、新しい洗浄剤１０を上記収容部３内に入れて、上記風呂釜洗浄補助具１を再利用することも可能である。
【００２４】
また、一般に使用されている洗浄剤を補充して再利用することも可能であるので、利用者にとっては、従来の洗浄容器を用いるよりも、低コストで、より効果的に風呂釜の洗浄を行うことが可能となる。
【図面の簡単な説明】
【００２５】
【図１】本発明の風呂釜洗浄補助具を表側から見た斜視図である。
【図２】風呂釜洗浄補助具を裏側から見た斜視図である。
【図３】風呂釜洗浄補助具の断面図である。
【図４】風呂釜洗浄補助具から内筒を取り外した状態を示す斜視図であり、（ａ）が、円筒形内筒の斜視図であり、（ｂ）が、円筒形内筒が取り外された状態の風呂釜洗浄補助具の斜視図である。
【図５】本発明の風呂釜洗浄補助具を使用している状態を示す斜視図である。
【符号の説明】
【００２６】
１      風呂釜洗浄補助具
２      吸盤
３      収容部
４      弁
５      外筒
６      内筒
７      仕切り壁
８      底
９      取っ手
１０    洗浄剤
１１    給水孔
【図１】
2009085515.tif 000003
【図２】
2009085515.tif 000004
【図３】
2009085515.tif 000005
【図４】
2009085515.tif 000006
【図５】
2009085515.tif 000007